(57)【要約】【課題】  衣服が位置ずれするのを防ぐことができ、装着しやすくて装飾効果が高い衣服止め具を提供すること。【解決手段】  衣服を固定する一対の固定具１，２の表面にそれぞれ装飾体７を装着し、一対の固定具１，２にそれぞれ連結紐３，４の一端部を取り付けると共に、連結紐３，４の他端部に、互いに着脱自在に係合する雌雄の結合具１０，１１を設ける。連結紐３，４の内、少なくとも一方を伸縮可能としても良い。【選択図】          図１
2005253508.tif 000002
【特許請求の範囲】
【請求項１】
衣服を固定する一対の固定具の表面にそれぞれ装飾体を装着し、前記一対の固定具にそれぞれ連結紐の一端部を取り付けると共に、該連結紐の他端部に、互いに着脱自在に係合する雌雄の結合具を設けたことを特徴とする衣服用止め具。
【請求項２】
前記連結紐の内、少なくとも一方を伸縮可能とした請求項１に記載の衣服用止め具。
【発明の詳細な説明】
【技術分野】
【０００１】
本発明は、ショール等の衣服を止め付けるのに好適な衣服用止め具に関する。
【背景技術】
【０００２】
ショールのような簡単に羽織れる衣服は、寒暖の差に対応しやすく、脱いでもあまり嵩張らないので、持ち運ぶ際に邪魔にならないという利点がある。
しかし、ボタン等で固定しない衣服ははだけやすく、ずり落ちやすいため、常に胸元の重ね合わせ部を手で押さえていなければならず、手がふさがって荷物が多い場合などには非常に不便であった。
そこで、ショール等がずり落ちるのを防ぐために、胸元の重ね合わせ部をブローチ等で止めることもあるが、ブローチの部分だけが止め付けられて、その他の部分が広がってしまい体裁が悪い。
さらに、この方法では、重ね合わせ部が開いて落下するのを防ぐことはできるが、絹のような滑らかな素材より成る衣類の上にショール等を羽織った場合には、左右にずれたり、背面側にずり落ちたりしやすい。
【０００３】
また、衣服に取り付けられて、その変形や位置ずれを防ぐものとして、一対の挟持具を鎖で連結したシャツのカラー保持具が知られている（特許文献１及び特許文献２参照）。
しかし、これらのものは、衣服の重ね合わせ部を止めることも、衣服を身体に対して連結することもできない。
さらに、鎖材の一端部に第１の挟着具を取り付け、鎖材に第２の挟着具を移動可能に設け、体型に合わせて鎖材の長さを調節でき、膝掛けを適正な位置に止めることができる留め具が提案されている（特許文献３）。
この留め具によって衣服の重ね合わせ部を固定しようとすると、鎖材が中間部において分離できないので、一方の挟着具を衣服に固定してから鎖材を身体に巻き付け、次いで他方の挟着具により衣服の重ね合わせ部を固定しなければならず、このため、装着途中で重ね合わせ部が一側へ引っ張られて変形しやすい。
【０００４】
【特許文献１】実用新案登録第３０２９４９５号公報
【特許文献２】実用新案登録第３０３１３７０号公報
【特許文献３】実用新案登録第３０１７６３６号公報
【発明の開示】
【発明が解決しようとする課題】
【０００５】
本発明が解決しようとする課題は、衣服がはだけたり、位置ずれするのを防ぐことができ、装着しやすくて装飾効果が高い衣服止め具を提供することにある。
【課題を解決するための手段】
【０００６】
本発明の衣服用止め具は、衣服の重ね合わせ部を固定する一対の固定具の表面にそれぞれ装飾体を装着し、前記一対の固定具にそれぞれ連結紐の一端部を取り付けると共に、該連結紐の他端部に、互いに着脱自在に係合する雌雄の結合具を設けてある。
前記連結紐の内、少なくとも一方を伸縮可能としても良い。
【発明の効果】
【０００７】
請求項１に係る発明によれば、ショール等の衣服の重ね合わせ部を二個所で固定できるので、重ね合わせ部が開いて衣服がずり落ちたり、重ね合わせ部が緩むのを防ぐことが可能であり、連結紐を介して衣服の固定部分が身体に連結されるため、衣服の重ね合わせ部が位置ずれする虞が無い。
また、予め固定具により衣服を二個所で固定してから、分離した両側の連結紐を背後に回し、結合具を結合して連結紐を連結できるので、装着途中で衣服の重ね合わせ部が変形しにくく、着脱操作も容易である。
さらに、固定具の表面に装飾体を装着してあるので装飾効果が高く、連結紐を帯やコートの内側に通すと体裁がよい。
請求項２に係る発明によれば、背後で結合具を着脱操作し易くなり、着用者の体型の差に対応することが可能であると共に、着用中であっても緊縛感が無く身動きしやすい。
【発明を実施するための最良の形態】
【０００８】
以下、本発明の実施例を図面に基づいて詳細に説明する。
本発明の衣服止め具は、図１に示すように、一対の固定具１，２と、固定具１，２にそれぞれ一端部が取り付けられた連結紐３，４とを備える。
固定具１，２は、土台５の裏面に安全ピン６を装着して成り、土台５の表面には、装飾体７が装着されている。本実施例では、土台５として、芯板の周囲を布で被覆したものを用いてある。
装飾体７は、紐を花形に組んだものであり、中心部にスパンコール、ラインストーン等の飾り石８を貼りつけてある。
【０００９】
連結紐３，４は、土台５に使用したものと同じ布を帯状に縫製して成り、一方の連結紐３を長く、他方の連結紐４を短く形成してある。
また、一方の連結紐３の内部他端部寄りには、適宜長さのゴム紐が収納固定され、この部分が伸縮部９となっている。
連結紐３，４の他端部に、互いに着脱自在に係合する雌雄の結合具１０，１１を設ける。結合具１０は、先端面が開口すると共に、一面に窓孔１２を有する箱形の係止具である。また、結合具１１は、先端面を通して結合具１０内に抜挿され、結合具１０の窓孔１２にスナップ係合される爪部１３を有する。そして、爪部１３を結合具１０内へ押し入れると、結合具１１を抜き出すことができるようになっている。
【００１０】
この衣服用止め具は、次のように使用する。
図２に示すように、結合具１０，１１を外して連結紐３，４を分離しておき、ショール１４の重ね合わせ部の上下部をそれぞれ固定具１，２で固定する。
次いで、他方の連結紐４を背後に回して、和装の場合であれば帯の中（お太鼓部分の中）等を通し、前面において結合具１０，１１を係合する。
すると、ショール１４の重ね合わせ部が上下二個所で固定されて広がることが無く、しかも、この固定部分が連結紐３，４により左右両側から引かれるので、位置ずれすることもない。
【００１１】
なお、装飾体７は、適宜形状の金属、プラスチック、造花等とすることができ、装飾体７の材質に逐わせて土台５の材質も変更することができる。
また、固定具１，２の土台５の裏面には、安全ピン以外の係合具、例えば、衣服を重ねて把持するクリップ等とすることも可能である。
連結紐３，４は、身体の前面に露出する一端部寄りを外観の美しい鎖等とし、ショール１４や帯によって隠れる他端部寄りを伸縮性のある紐としても良い。
さらに、雌雄の結合具は図示のものに限定されず、他のスナップ係止具やベルベットクロスファスナーとすることができる。
【図面の簡単な説明】
【００１２】
【図１】本発明の実施例を示す衣服用止め具の斜視図。
【図２】衣服止め具の使用状態を示す斜視図。
【符号の説明】
【００１３】
１，２  固定具
３  一方の連結紐
４  他方の連結紐
５  土台
６  安全ピン
７  装飾体
８  飾り石
９  伸縮部
１０，１１  結合具
１２  窓孔
１３  爪部
１４  ショール
【図１】
2005253508.tif 000003
【図２】
2005253508.tif 000004